(57)【特許請求の範囲】
【請求項１】
脚と脚とが互いに交差し、この交差を支点として開閉可能に連結されており且つ一方の上端同士及び一方の下端同士が互いに向かい合うように配置された３以上のＸ字型脚部と、このＸ字型脚部の一方の上端同士を連結する頂部連結具と、前記Ｘ字型脚部の一方の下端同士を連結する底部連結具と、前記Ｘ字型脚部の他方の上端と他方の下端との間を各々繋ぐ３以上の外側支持棒と、この外側支持棒の上端と前記Ｘ字型脚部の他方の上端とを各々連結する３以上の上側連結具と、前記外側支持棒の下端と前記Ｘ字型脚部の他方の下端とを各々連結する３以上の下側連結具とを具備しており、前記頂部、底部連結具は、前記Ｘ字型脚部の開閉に伴って、互いに離れたり近づいたりするように、前記Ｘ字型脚部の一方の上端同士を、前記Ｘ字型脚部の一方の下端同士をそれぞれ連結し、前記上側、下側連結具は、前記Ｘ字型脚部が開閉可能なように、当該Ｘ字型脚部の他方の上端、他方の下端をそれぞれ連結し、前記外側支持棒は、筒状の外側棒部と、この外側棒部の内部に設けられており且つ前記外側棒部の一端からスライド可能に突出した内側棒部とを有し、前記Ｘ字型脚部の開閉に伴って、縮んだり伸びたりすることを特徴とする折り畳み支持脚。
【請求項２】
請求項１記載の折り畳み支持脚において、前記頂部連結具及び／又は前記底部連結具には孔が設けられており、前記頂部連結具の孔と前記底部連結具の孔とは同一鉛直線上に位置することを特徴とする折り畳み支持脚。
【請求項３】
請求項１又は２記載の折り畳み支持脚の上側連結具に取付可能な天板を備え、前記天板には前記頂部連結具及び／又は前記底部連結具の孔の上方位置に孔が設けられていることを特徴とするテーブル。
【請求項４】
請求項３記載のテーブルにおいて、隣り合う前記上側連結具を繋ぐ板状体であって、両端部に前記上側連結具と各々係合する係合手段が設けられた保持部材を有しており、この保持部材には、前記天板が取付可能にされていることを特徴とするテーブル。
【請求項５】
請求項４記載のテーブルにおいて、前記天板の端部は、前記保持部材の面上に形成された載置部に載置されることを特徴とするテーブル。
【請求項６】
請求項３、４又は５記載のテーブルにおいて、前記天板はすのこ状にされており、折り畳むことができることを特徴とするテーブル。
【発明の詳細な説明】
【０００１】
【発明の属する技術分野】
本発明は、折り畳み可能な支持脚及びこれを用いたテーブルに関する。
【０００２】
【従来の技術】
この種の折り畳み可能な支持脚は、アウトドアテーブル等に用いられる。この折り畳み可能な支持脚は、脚と脚とが互いに交差し、この交点を支点として開閉可能に連結された３以上のＸ字型脚部と、環状に配置された前記Ｘ字型脚部の隣り合う脚の上端同士を各々連結する上側連結具と、環状に配置された前記Ｘ字型脚部の隣り合う脚の下端同士を各々連結する下側連結具と、前記Ｘ字型脚部の支点上に各々取り付けられる中部連結具と、環状に配置された前記Ｘ字型脚部の中心線上に配置された頂部連結具と、環状に配置された前記Ｘ字型脚部の中心線上であり且つ前記頂部連結具の下方位置に配置された底部連結具と、前記中部連結具と前記頂部連結具との間を繋ぐ上側支持棒と、前記中部連結具と前記底部連結具との間を繋ぐ下側支持棒とを具備する。
【０００３】
そして、前記折り畳み可能な支持脚は、前記Ｘ字型脚部の脚が開閉可能なように、前記上側連結具は前記Ｘ字型脚部の隣り合う脚の上端同士を、前記下側連結具は前記Ｘ字型脚部の隣り合う脚の下端同士を連結しており、前記Ｘ字型脚部の開閉に伴って前記頂部連結具が下上する一方、前記底部連結具が上下するように、前記上側支持棒が前記中部連結具と前記頂部連結具との間に、前記下側支持棒が前記中部連結具と前記底部連結具との間に各々連結されている（特許文献１参照）。
【０００４】
【特許文献１】
特願２００１−２６４５５０号（第６頁から８頁、図１及び２参照）
【０００５】
【発明が解決しようとする課題】
しかしながら、前記折り畳み支持脚は、Ｘ字型脚部が環状に配置されているため、アウトドアテーブルとして用いた場合、Ｘ字型脚部が邪魔になって足を入れることができず、使い勝手が悪いという欠点を有している。
【０００６】
本発明は、上記事情に鑑みて創案されたものであって、使い勝手の良い折り畳み支持脚及びこれを用いたテーブルを提供することにある。
【０００７】
【課題を解決するための手段】
本発明の折り畳み支持脚は、脚と脚とが互いに交差し、この交差を支点として開閉可能に連結されており且つ一方の上端同士及び一方の下端同士が互いに向かい合うように配置された３以上のＸ字型脚部と、このＸ字型脚部の一方の上端同士を連結する頂部連結具と、前記Ｘ字型脚部の一方の下端同士を連結する底部連結具と、前記Ｘ字型脚部の他方の上端と他方の下端との間を各々繋ぐ３以上の外側支持棒と、この外側支持棒の上端と前記Ｘ字型脚部の他方の上端とを各々連結する３以上の上側連結具と、前記外側支持棒の下端と前記Ｘ字型脚部の他方の下端とを各々連結する３以上の下側連結具とを具備しており、前記頂部、底部連結具は、前記Ｘ字型脚部の開閉に伴って、互いに離れたり近づいたりするように、前記Ｘ字型脚部の一方の上端同士を、前記Ｘ字型脚部の一方の下端同士をそれぞれ連結し、前記上側、下側連結具は、前記Ｘ字型脚部が開閉可能なように、当該Ｘ字型脚部の他方の上端、他方の下端をそれぞれ連結し、前記外側支持棒は、筒状の外側棒部と、この外側棒部の内部に設けられており且つ前記外側棒部の一端からスライド可能に突出した内側棒部とを有し、前記Ｘ字型脚部の開閉に伴って、縮んだり伸びたりすることを特徴としている。
【０００８】
より好ましくは、前記頂部連結具及び／又は前記底部連結具には孔が設けられており、前記頂部連結具の孔と前記底部連結具の孔とは同一鉛直線上に位置することが望ましい。
【０００９】
本発明のテーブルは、上記折り畳み支持脚の上側連結具に取付可能な天板を備え、前記天板には前記頂部連結具及び／又は前記底部連結具の孔の上方位置に孔が設けられていることを特徴としている。
【００１０】
より好ましくは、隣り合う前記上側連結具を繋ぐ板状体であって、両端部に前記上側連結具と各々係合する係合手段が設けられた保持部材を有しており、この保持部材には、前記天板が取付可能にされていることが望ましい。
【００１１】
より好ましくは、前記天板の端部は、前記保持部材の面上に形成された載置部に載置されることが望ましい。
【００１２】
より好ましくは、前記天板はすのこ状にされており、折り畳むことができることが望ましい。
【００１３】
【発明の実施の形態】
以下、本発明の実施の形態に係るテーブルを図面を参照しながら説明する。図１は本発明の実施の形態に係るテーブルの概略的正面図、図２は同テーブルに用いられる保持部材が取り付けられた折り畳み支持脚の概略的斜視図、図３は同テーブルの折り畳み支持脚の頂部／底部連結具の概略的斜視図、図４は同テーブルの使用状態を示す概略的斜視図、図５は同テーブルの折り畳み支持却を折り畳んだ状態を示す概略的斜視図、図６は同テーブルの天板の概略的裏面図、図７は同テーブルの折り畳み支持却の使用状態示す概略的斜視図である。
【００１４】
ここに掲げるテーブルＡは、アウトドア用のテーブルであって、天板５００とこれを支持する折り畳み支持脚Ａ１とを具備している。この折り畳み支持脚Ａ１は、脚１１０と脚１２０とが互いに交差し、この交差を支点として開閉可能に連結された４つのＸ字型脚部１００と、Ｘ字型脚部１００の一方の上端１１１同士を頂部連結具２１０と、Ｘ字型脚部１００の一方の下端１２２同士を底部連結具２２０と、Ｘ字型脚部１００の他方の上端１２１と他方の下端１１２との間を繋ぐ各々外側支持棒３００と、この外側支持棒３００の上端３１０とＸ字型脚部１００の他方の上端１２１とを各々連結する上側連結具４１０と、外側支持棒３００の下端３２０とＸ字型脚部１００の他方の下端１１２とを各々連結する下側連結具４２０とを具備する。以下、各部を詳しく説明する。
【００１５】
Ｘ字型脚部１００は、パイプである脚１１０と脚１２０とを交差させ、交差させた支点をボルトとナットとで開閉自在に連結したものである。このＸ字型脚部１００は、一方の上端１１１同士、一方の下端１２２同士がそれぞれ互いに向かい合うように配置されている。
【００１６】
このＸ字型脚部１００の一方の上端１１１同士を連結する頂部連結具２１０は、図３に示すように、円柱形状の連結具本体２１１を有している。連結具本体２１１の中央部には、ビーチパラソルＣのボール１０（図４参照）、ランタンを吊り下げるためのポール、簡易シャワーのポール等を通すための貫通孔２１２が設けられている。なお、頂部連結具２１０の貫通孔２１２を設けることは任意である。
【００１７】
連結具本体２１１の面上には、開口縁部に立設された円筒状の壁部２１３と、この壁部２１３から４方に向けて延設された立壁２１４とが設けられている。この立壁２１４に、Ｘ字型脚部１００の上端１１１がナットとボルトで各々回動自在に連結されている。これにより、Ｘ字型脚部１００の開閉に伴って、頂部連結具２１０は下上方向に移動する。
【００１８】
頂部連結具２１０の鉛直方向に位置する底部連結具２２０は、Ｘ字型脚部１００の一方の下端１２２同士を連結する円柱形状の連結具本体２２１を有している。連結具本体２２１の中央部には、ビーチパラソルＢのボール１０（図４参照）等を通すための貫通孔２２２が設けられている。なお、貫通孔２２２を設けることは任意である。
【００１９】
連結具本体２２１の面上には、開口縁部に立設された円筒状の壁部２２３と、この壁部２２３から４方に向けて延設された立壁２２４とが設けられている。この立壁２２４には、Ｘ字型脚部１００の下端１２２がナットとボルトで各々回動自在に連結されている。これにより、Ｘ字型脚部１００の開閉に伴って、底部連結具２２０は上下方向に移動する。即ち、頂部連結具２１０と底部連結具２２０とは、Ｘ字型脚部１００の開閉に伴って、互いに離れたり近づいたりする。
【００２０】
Ｘ字型脚部１００の他方の上端１２１と他方の下端１１２との間を各々繋ぐ外側支持棒３００は、図５に示すように、Ｘ字型脚部１００の脚部１１０、１２０と同様の筒状のパイプである外側棒部３１０と、この外側棒部３１０の内部に設けられたパイプであって、外側棒部３１０の上端３１１からスライド可能に突出した内側棒部３２０とを有している。これにより、外側支持棒３００は、伸縮自在になっている。
【００２１】
外側棒部３１０の上端３１１には、内側棒部３２０の直径とほぼ同様の開口３３１が設けられた係止キャップ３３０が取り付けられており、この開口３３１から内側棒部３２０がスライド可能に突出している。この内側棒部３２０の下端には、係止部（図示しない）が設けられており、係止キャップ３３０に係止されるようになっている。これにより、内側棒部３２０は、外側棒部３１０から抜けないようになっている。
【００２２】
また、外側棒部３１０は、下端３１２が後述する下側連結部４２０の嵌合部４２２に嵌合されており、ボルトとナットとで固定されている。一方、内側棒部３２０は、上端３２１が後述する上側連結具４１０の嵌合部４１２に嵌合されており、ボルトとナットとで固定されている。
【００２３】
外側棒部３１０の下端３１２に固定される下側連結具４２０は、図１に示すように、平板状の連結具本体４２１を有しており、その上面には、後述する外側支持棒３００の外側棒部３１０の下端３１２が嵌合する円筒状の嵌合部４２２と、この嵌合部４２２からＸ字型脚部１００の一方の下端１２２の方向に向けて立設された立壁４２３とが設けられている。この立壁４２３には、Ｘ字型脚部１００の他方の下端１１２がナットとボルトで回動自在に連結されている。
【００２４】
一方、内側棒部３２０の上端３２１に固定される上側連結具４１０は、図１又は５に示すように、角柱状の連結具本体４１１を有しており、その下面には、外側支持棒３００の内側棒部３２０の上端３２１が嵌合する円筒状の嵌合部４１２と、この嵌合部４１２からＸ字型脚部１００の一方の上端１１１の方向に向けて延出された立壁４１３とが設けられている。この立壁４１３には、Ｘ字型脚部１００の他方の上端１２１がナットとボルトで各々回動自在に連結されている。これにより、Ｘ字型脚部１００が開閉すると、これに伴い、外側支持棒３００は、内側棒部３２０がスライドし、縮んだり伸びたりする。
【００２５】
また、連結具本体４１１の側壁には、後述する天板５００の係合孔５１１に係合される凸字型の係合片４１５が設けられている。連結具本体４１１の外側の側壁には、後述する保持部材６００の係合片６１１と係合する係合孔４１４が設けられている。
【００２６】
この保持部材６００は、図２に示すように、隣り合う上側連結具４１０の上に載置可能な板状体であって、天板５００を保持する部材である。保持部材６００の両端部６１０には、下向きに断面視鉤型の係合片６１１、６１１（係合手段）が設けられており、この係合片６１１は上側連結具４１０の係合孔４１４と係合する。これにより、保持部材６００は上側連結具４１０に取り付けられる。なお、保持部材６００に係合孔を設け、この係合孔に上側連結具４１０の係合片を係合させるようにしても良い。
【００２７】
上側連結具４１０に取り付けられた保持部材６００は、互いに向かい合う側面の上部が切り欠かれており、天板５００の端部が載置可能な載置部６２０が設けられている。なお、保持部材６００を設けず、上側連結具４１０に天板５００を直接取り付けるようにしても良い。
【００２８】
この天板５００は、図６に示すように、複数枚の長方形の板５１０の両端部に樹脂製のキャップ５２０を各々取り付け、すのこ状にしたものであり、折り畳み可能になっている。天板５００の裏面側には、両端に位置する板５１０の両端部に上側連結具４１０の係合片４１５と係合する係合孔５１１、５１１が各々設けられている。
【００２９】
また、天板５００の中央に位置する板５１０には、頂部連結具２１０の貫通孔２１２及び底部連結具２２０の貫通孔２２２の上方位置にビーチパラソルＣのボール１０（図４参照）等を通すための貫通孔５１２が設けられている。なお、天板５００は、ここでは、すのこ状にされた複数枚の板５１０であるとしたが、一枚の板状体とすることも可能である。また、天板５００の形状は、任意であり、円形、多角形に適宜設計変更することが可能であり、貫通孔５１２を設けることも任意である。
【００３０】
以下、テーブルＡの組立、解体手順を説明すると共に使用方法についても説明する。まず、テーブルＡを組み立てる場合には、上側連結具４１０を持ち、左右に広げる。すると、Ｘ字型脚部１００が開き、これに伴って、外側支持棒３００が縮む一方、頂部連結具２１０と底部連結具２２０とは、互いに離れる方向に移動する。このようにして折り畳み支持脚Ａ１は、簡単に組み立てることができる。
【００３１】
その後、折り畳み支持脚Ａ１の上側連結具４１０に保持部材６００を取り付ける。そして、折り畳まれた天板５００を広げ、保持部材６００の載置部６２０に保持させると共に、上側連結具４１０に取り付ける。これにより、天板５００は折り畳み支持脚Ａ１に取り付けられる。
【００３２】
このようにして組み立てたテーブルＡは、図４に示すように、中央部にビーチパラソルＢを立てることができる。また、折り畳み支持脚Ａ１のみを用い、ビーチパラソルＢを支持させることも可能である。
【００３３】
次に、テーブルＡを解体する場合には、天板５００を折り畳み支持脚Ａ１から取り外す。そして、天板５００を折り畳む一方、保持部材６００を上側連結具４１０から取り外す。
【００３４】
その後、上側連結具４１０を持ち、左右に閉じる。すると、Ｘ字型脚部１００が閉じ、これに伴って、外側支持棒３００が延びる一方、頂部連結具２１０と底部連結具２２０とは、互いに近づく方向に移動する。これにより折り畳み支持脚Ａ１は、簡単に折り畳むことができる。なお、折り畳んだ状態の折り畳み支持脚Ａ１を紐等で縛り、図７に示すように、ビーチパラソルＢを支持させることもできる。
【００３５】
このようなテーブルＡによる場合、Ｘ字型脚部１００が天板５００の対角線上に配置される。よって、足を入れることができ、使い勝手が良くなる。なお、以下のように設計変更することが可能である。
【００３６】
Ｘ字型脚部１００は、ここでは４つであるとしたが、３以上であれば適宜設計変更することが可能である。
【００３７】
Ｘ字型脚部１００の脚１１０、１２０及び外側支持棒３００は、パイプであるとしたが、これに限定されることなく、プラスチック、木及び鉄製等の棒状体に設計変更することが可能である。このとき、外側支持棒３００の外側棒部３１０は、プラスチック、木及び鉄製等の筒状体とする。
【００３８】
なお、ここでは、屋外で用いるアウトドアテーブルとして説明したが、これに限定されることはなく、室内用のテーブルとして用いることも当然可能である。
【００３９】
【発明の効果】
本発明の請求項１記載の折り畳み支持脚は、脚と脚とが互いに交差し、この交差を支点として開閉可能に連結されており且つ一方の上端同士及び一方の下端同士が互いに向かい合うように配置された３以上のＸ字型脚部と、このＸ字型脚部の一方の上端同士を連結する頂部連結具と、前記Ｘ字型脚部の一方の下端同士を連結する底部連結具と、前記Ｘ字型脚部の他方の上端と他方の下端との間を各々繋ぐ３以上の外側支持棒と、この外側支持棒の上端と前記Ｘ字型脚部の他方の上端とを各々連結する３以上の上側連結具と、前記外側支持棒の下端と前記Ｘ字型脚部の他方の下端とを各々連結する３以上の下側連結具とを具備しており、前記頂部、底部連結具は、前記Ｘ字型脚部の開閉に伴って、互いに離れたり近づいたりするように、前記Ｘ字型脚部の一方の上端同士を、前記Ｘ字型脚部の一方の下端同士をそれぞれ連結し、前記上側、下側連結具は、前記Ｘ字型脚部が開閉可能なように、当該Ｘ字型脚部の他方の上端、他方の下端をそれぞれ連結し、前記外側支持棒は、筒状の外側棒部と、この外側棒部の内部に設けられており且つ前記外側棒部の一端からスライド可能に突出した内側棒部とを有し、前記Ｘ字型脚部の開閉に伴って、縮んだり伸びたりすることを特徴としている。このような構成によると、前記Ｘ字型脚部は、一方の上端同士、一方の下端同士が、各々頂部連結具、底部連結具に連結されるようになっているため、従来例のように環状に配置されない。その結果、テーブルとして用いた場合、足を入れることができ、使い勝手が良くなるという効果を奏する。
【００４０】
本発明の請求項２記載の折り畳み支持脚は、請求項１記載の折り畳み支持脚において、前記頂部連結具及び／又は前記底部連結具には孔が設けられており、前記頂部連結具の孔と前記底部連結具の孔とは同一鉛直線上に位置することを特徴としている。このような構成による場合、前記孔にビーチパラソル等のボールを挿入することで、ビーチパラソルを支持することができる。
【００４１】
本発明の請求項３記載のテーブルは、請求項１又は２記載の折り畳み支持脚の上側連結具に取付可能な天板を備え、前記天板には前記頂部連結具及び／又は前記底部連結具の孔の上方位置に孔が設けられている。このような構成による場合、上記折り畳み支持脚と同様の効果を得ることができる。
【００４２】
本発明の請求項４記載のテーブルは、請求項３記載のテーブルにおいて、隣り合う前記上側連結具を繋ぐ板状体であって、両端部に前記上側連結具と各々係合する係合手段が設けられた保持部材を有しており、この保持部材には、前記天板が取付可能にされている。このような構成による場合、前記保持部材で前記天板を安定して保持することができる。
【００４３】
本発明の請求項５記載のテーブルは、請求項４記載のテーブルにおいて、前記天板の端部は、前記保持部材の面上に形成された載置部に載置される。このような構成による場合、保持部材の載置部に天板を置くだけで、天板を取り付けることができるので、天板の取り付けが非常に簡単になる。
【００４４】
本発明の請求項６記載のテーブルは、  請求項３、４又は５記載のテーブルにおいて、前記天板はすのこ状にされており、折り畳むことができる。このような構成による場合、前記テーブルの収納／持ち運びが非常に容易になる。
【図面の簡単な説明】
【図１】本発明の実施の形態に係るテーブルの概略的正面図である。
【図２】同テーブルに用いられる保持部材が取り付けられた折り畳み支持脚の概略的斜視図である。
【図３】同テーブルの折り畳み支持脚の頂部／底部連結具の概略的斜視図である。
【図４】同テーブルの使用状態を示す概略的斜視図である。
【図５】同テーブルの折り畳み支持却を折り畳んだ状態を示す概略的斜視図である。
【図６】同テーブルの天板の概略的裏面図
【図７】同テーブルの折り畳み支持却の使用状態示す概略的斜視図である。
【符号の説明】
Ａ      テーブル
Ａ１    折り畳み支持脚
１００  Ｘ字型脚部
２１０  頂部連結具
２２０  底部連結具
３００  外側支持棒
４１０  上側連結具
４２０  下側連結具
５００  天板
【図１】
0003667309.tif 000002
【図２】
0003667309.tif 000003
【図３】
0003667309.tif 000004
【図４】
0003667309.tif 000005
【図５】
0003667309.tif 000006
【図６】
0003667309.tif 000007
【図７】
0003667309.tif 000008